(57)【要約】      （修正有）【課題】組立家屋の組立て時間を短縮する。【解決手段】組立家屋１は、あらかじめ工場において各種構成部材を用いて構成された複数の部屋体２１を現場において適宜組合わせて組立ててなる前記家屋本体２と、あらかじめ工場において各種構成部材を用いて構成された下側階段室体４と上側階段室体５とを上下に連結固定してなる階段室３とを連結して構成されている。下側階段室体４は、フロア面部４１の四辺に壁面部４２を立設し、天井部分を開放することで上側階段室体５の後述する連通口７と連通する連通口４３を確保し、更に、前記フロア面部４１から上側階段室５に通じる階段部材６が固着されている。【選択図】図１
0003115604.tif 000002
【実用新案登録請求の範囲】
【請求項１】
各種構成部材を用いてあらかじめ組立てられた複数の部屋体同士を、現場において適宜組み合わせて組立てられる組立家屋における家屋本体に連結される組立家屋用階段室構造であって、少なくとも、２階以上の複数階有する家屋本体に対して連結可能に、各種構成部材を用いて構成される複数の階段室体同士を連結してなる組立家屋用階段室構造において、
上側階段室体へ通じる階段部材を備えた下側階段室体と、当該下側階段室体の上部へ連結される上側階段室体とから構成され、
下側階段室体は、その天井部分に上側階段室体のフロア面部と連通する連通口を確保し、前記階段部材を下側階段室体のフロア面部から上側階段室体のフロア面部に至るように固定してなる一方、上側階段室体は、前記下側階段室体の連通口と連通する連通口が形成されたフロア面部を備えてなり、
これら下側階段室体と上側階段室体とを連結固定するとともに、階段部材の上端部を上側階段室体のフロア面部の連通口に固定することによって組立家屋用階段室を構成していることを特徴とする組立家屋用階段室構造。
【請求項２】
組立家屋用階段室における最上階部の階段室体は、その天井部分に屋根部を備え、直下の下側階段室体の連通口と連通するとともに、前記下側階段室体の階段部材が固定される連通口が形成されたフロア面部とが備えられてなることを特徴とする請求項１に記載の組立家屋用階段室構造。
【考案の詳細な説明】
【技術分野】
【０００１】
本考案は、組立家屋の一部を構成する組立家屋用階段室構造に関する。
【背景技術】
【０００２】
従来の組立家屋は、壁部材、柱部材、屋根部材、床部材、窓部材、階段部材等の各種構成部材を現場において適宜組み合わせて組立てるタイプ(以下、第１タイプという)や、あらかじめ、前記壁部材、柱部材、屋根部材、床部材、窓部材等の各種構成部材を工場において適宜組み合わせて複数の部屋体を構成し、これら複数の部屋体同士を現場において適宜組み合わせて組立て、組立てられた部屋体に階段部材を取付けて組立てるタイプ(以下、第２タイプという)等が周知である。
【考案の開示】
【考案が解決しようとする課題】
【０００３】
ところで、前記第１タイプの組立家屋は、各種構成部材を現場において組合わせて組立てるものであるので、あらかじめ組立てられた部屋体を現場において組合わせて組立てる前記第２タイプの組立家屋に比べて、現場における組立て時間が長いものである。
すなわち、前記第２タイプの組立家屋は、その現場における組立て時間が短く、簡単、且つ迅速に組立てられる組立家屋として多く用いられている。
しかしながら、前記第２タイプの組立家屋は、各部屋体同士を組合わせて組立家屋を組立てた後に、この組立家屋に階段部材を取付ける作業や、この階段部材を内蔵する階段室を構成する作業が必要であって、これら作業が簡略化されれば、更なる組立家屋の組立て時間の短縮が期待される。
本願出願人は、第２タイプの組立家屋の現場での組立て時間を更に短縮させるために、鋭意研究の結果本願考案に至ったものである。
尚、前記第２タイプの組立家屋の現場での組立て時間を更に短縮させるという観点からなされた組立家屋に関する先行技術文献情報については、本願出願人の知る限りにおいて存在していない。
【０００４】
そこで本考案は、あらかじめ組立てられた部屋体を現場において組合わせて組立てる前記組立家屋の組立て時間を短縮することを課題とし、この課題を解決した組立家屋の提供を目的とする。
【課題を解決するための手段】
【０００５】
本考案は、上記目的を達成するために下記の技術的手段を採用した。
その第１考案は、各種構成部材を用いてあらかじめ組立てられた複数の部屋体同士を、現場において適宜組み合わせて組立てられる組立家屋における家屋本体に連結される組立家屋用階段室構造であって、少なくとも、２階以上の複数階有する家屋本体に対して連結可能に、各種構成部材を用いて構成される複数の階段室体同士を連結してなる組立家屋用階段室構造において、上側階段室体へ通じる階段部材を備えた下側階段室体と、当該下側階段室体の上部へ連結される上側階段室体とから構成され、下側階段室体は、その天井部分に上側階段室体のフロア面部と連通する連通口を確保し、前記階段部材を下側階段室体のフロア面部から上側階段室体のフロア面部に至るように固定してなる一方、上側階段室体は、前記下側階段室体の連通口と連通する連通口が形成されたフロア面部を備えてなり、これら下側階段室体と上側階段室体とを連結固定するとともに、階段部材の上端部を上側階段室体のフロア面部の連通口に固定することによって組立家屋用階段室を構成していることを特徴とする組立家屋用階段室構造にしたことである。
【０００６】
本考案で云う各種構成部材とは、組立家屋の部屋体を構成するための部材であって、例えば、壁部材、柱部材、屋根部材、床部材、窓部材、階段部材等である。
又、部屋体とは、前記各種構成部材でもって、組立家屋の部屋を構成するものであって、目的の形状・大きさに構成されるものである。
又、組立家屋用階段室とは、前記部屋体と同様に、前記各種構成部材でもって、組立家屋の部屋を構成するものであって、連結される部屋体に応じた形状・大きさ・段数に構成される階段室体の集合体である。
又、下側階段室体とは、例えば２階建て構造の組立家屋に連結される組立家屋用階段室における１階部を構成する階段室体であり、３階建て以上の構造の組立家屋に連結される組立家屋用階段室においては、１階部及び２階部以上に位置する階段室体で、且つ上部に上側階段室体が有る階段室体である。
又、上側階段室体とは、例えば２階建て構造の組立家屋に連結される組立家屋用階段室における２階部を構成する階段室体であり、３階建て以上の構造の組立家屋に連結される組立家屋用階段室においては、２階部及び３階部以上に位置する階段室体である。
【０００７】
更に、組立家屋用階段室における最上階部を構成するために、第２考案では、組立家屋用階段室における最上階部の階段室体は、その天井部分に屋根部を備え、直下の下側階段室体の連通口と連通するとともに、前記下側階段室体の階段部材が固定される連通口が形成されたフロア面部とが備えられてなることを特徴とする組立家屋用階段室構造にした。
第２考案で云う最上階部とは、例えば２階建て構造の組立家屋に連結される組立家屋用階段室における２階部を構成する階段室体であり、３階建て以上の構造の組立家屋に連結される組立家屋用階段室においては、３階部以上の最上部に位置する階段室体である。
【考案の効果】
【０００８】
本考案の組立家屋用階段室によれば、下記の優れた効果が期待できる。
第１考案によれば、下側階段室体に上側階段室体に通じる階段部材が備えられているため、これら下側階段室に上側階段室を連結するとともに、階段部材を上側階段室体のフロア面部の連通口に連結することによって階段部材が内蔵された組立家屋用階段室を構成することができる。
したがって、あらかじめ組立てられた部屋体を現場において組合わせて組立てる前記組立家屋の組立て時間を短縮可能な組立家屋用階段室構造を提供することができる。
又、第２考案によれば、組立家屋用階段室における最上階部を構成する階段室体を具体的に提供することができる。
【考案を実施するための最良の形態】
【０００９】
以下、本考案の組立家屋用階段室構造を実施するための最良の形態を図１及び図２に基づいて説明する。
図中、符号１は組立家屋、符号２は家屋本体、符号３は組立家屋用階段室(以下、階段室と云う)である。
【００１０】
組立家屋１は、あらかじめ工場において各種構成部材を用いて構成された複数の部屋体２１を現場において適宜組合わせて組立ててなる前記家屋本体２と、あらかじめ工場において各種構成部材を用いて構成された下側階段室体４と上側階段室体５とを上下に連結固定してなる階段室３とを連結して構成されている。
尚、本形態の組立家屋１は、２階建て構造のものを例示しているが、本考案は３階建て以上の構造としてもよい。
【００１１】
下側階段室体４は、フロア面部４１の四辺に壁面部４２を立設し、天井部分を開放することで上側階段室体５の後述する連通口７と連通する連通口４３を確保し、更に、前記フロア面部４１から上側階段室５に通じる階段部材６が固着されている。
尚、図中符号４２１は下側階段室体４への出入り口、符号４２２は家屋本体２の通行口(図示せず)と連通する通行口である。
階段部材６は、多段状のステップ部６１と、その中途でステップ部６１の方向を転回させるための踊場部６２とから構成され、前記ステップ部６１の下端部を前記フロア面部４１にボルト・ナット等の固定手段(図示せず)によって固定し、前記踊場部６２の側縁を前記壁面部４２にボルト・ナット等の固定手段(図示せず)によって固定している。
【００１２】
上側階段室体５は、フロア面部５１の四辺に壁面部５２を立設し、天井部分には屋根部５３を設けてなる。
尚、図中符号５２１は家屋本体２の通行口(図示せず)と連通する通行口である。
フロア面部５１には、前述の連通口７が形成されている。
連通口７は、前記階段部材６が通過可能、且つ昇降する人間が通過可能な幅及び長さとし形成されている。
又、連通口７は、下側階段室体４に上側階段室体５を連結した際に、階段部材６が連通口７に嵌入するとともに、ステップ部６１の上端部６１１が、当該上端部６１１と対向する連通口７の縁部７１に接触する位置に形成されている。
そして、下側階段室体４に上側階段室体５を連結した際に、前記ステップ部６１の上端部６１１を連通口７の縁部７１にボルト・ナット等の固定手段(図示せず)によって固定する。
尚、下側階段室体４と上側階段室体５との連結は、ボルト・ナット等の固定手段(図示せず)によって連結固定する。
【００１３】
前記構成の階段室構造によれば、下側階段室体４に上側階段室体５を連結固定するとともに、下側階段室体４に固定された階段部材６を上側階段室体５の連通口７に固定することによって２階建ての階段室３が形成される構造である。
又、前記階段室３を形成する際に、下側階段室体４及び上側階段室体５を家屋本体２に対して連結固定する作業も同時に行うと良い。
【００１４】
尚、本願考案は、例示した形態に限定するものではなく、実用新案登録請求の範囲に記載された内容から逸脱することなく、他の構成による実施も可能である。
例えば、３階建て以上の階段室３としてもよく、この場合、１階部分を構成する下側階段室体４に、最上階を構成する上側階段室体５まで至るような階段部材６を設けても良いし(図示せず)、最上階を構成する上側階段室体５の下側の全ての下側階段室体４に、当該下側階段室体４の直上の上側階段室体５に至るような階段部材６を設けても良い(図示せず)。
【図面の簡単な説明】
【００１５】
【図１】本考案に係る階段室構造の一例を示す切欠斜視図。
【図２】図１の(２)-(２)線断面図。
【符号の説明】
【００１６】
１：組立家屋
２：家屋本体
３：階段室
４：下側階段室体
５：上側階段室体
６：階段部材
７：連通口
２１：部屋体
４１：フロア面部
４２：壁面部
４３：連通口
５１：フロア面部
５２：壁面部
５３：屋根部
【図１】
0003115604.tif 000003
【図２】
0003115604.tif 000004